(57)【要約】【課題】直流電源を用いることなく、屋外に設置された太陽電池のＩ−Ｖ特性を取得できるようにする。【解決手段】、ある基準照度（例えば、１ｓｕｎ）とその照度より低い照度（Ａ、Ｂ、Ｃ・・・）におけるＩｓｃとＶｏｃの組から、基準照度におけるＩ−Ｖ特性を次のようにして合成することができる。まず、Ｉ−Ｖ特性図上において、基準照度について、（０，Ｉｓｃ）、（Ｖｏｃ，０）をプロットする。次に、照度Ａについて、基準照度での短絡電流との差電流Ｉｓｃ−Ｉｓｃ（Ａ）を算出し、（Ｖｏｃ（Ａ），Ｉｓｃ−Ｉｓｃ（Ａ））（Ａ′点）をプロットする。同様に、照度Ｂ、Ｃに関して、（Ｖｏｃ（Ｂ），Ｉｓｃ−Ｉｓｃ（Ｂ））（Ｂ′点）、（Ｖｏｃ（Ｃ），Ｉｓｃ−Ｉｓｃ（Ｃ））（Ｃ′点）をプロットする。同様にして、基準照度より低い照度に関して多数の点をプロットし、各プロット点を繋いで滑らかな曲線が得られるようにする。このようにして作成された曲線が、合成された基準照度におけるＩ−Ｖ特性である。【選択図】        図１
2004281480.tif 000002
【特許請求の範囲】
【請求項１】
異なる複数の照度とそれぞれの照度での短絡電流を測定すると共に異なる複数の照度とそれぞれの照度での開放電圧を測定し、その測定結果に基づいて基準照度と基準照度より低い照度である第１〜第ｎ（ｎは正の整数）照度における短絡電流と開放電圧との測定値の組を得、Ｉ−Ｖ特性図上において、基準照度での短絡電流と開放電圧とをプロットし、第ｋ（ｋ＝１、２、・・・、ｎ）照度の開放電圧を電圧値、基準照度での短絡電流から第ｋ照度での短絡電流を減算した値を電流値とする点をプロットし、各プロット点を連結することにより基準照度のＩ−Ｖ特性を得ることを特徴とする太陽電池のＩ−Ｖ特性取得方法。
【請求項２】
短絡電流または開放電圧の前記測定値が、現実の測定値または現実の測定値の補間値であることを特徴とする請求項１に記載の太陽電池のＩ−Ｖ特性取得方法。
【請求項３】
短絡電流または開放電圧を測定する際に、光照射に先立って被測定太陽電池を一旦短絡させることを特徴とする請求項１または２に記載の太陽電池のＩ−Ｖ特性取得方法。
【請求項４】
被測定太陽電池上での照度が変化する光源の光を照射しつつ、照度をモニタすると共に短絡電流または開放電圧を測定することを特徴とする請求項１から３のいずれかに記載の太陽電池のＩ−Ｖ特性取得方法。
【請求項５】
前記光源が、複数の減光板が着脱される定常光源またはソーラシミュレータであることを特徴とする請求項４に記載の太陽電池のＩ−Ｖ特性取得方法。
【請求項６】
前記光源がフラッシュ光源またはストロボ光源であることを特徴とする請求項４に記載の太陽電池のＩ−Ｖ特性取得方法。
【請求項７】
前記フラッシュ光源を用いて測定を行う直前にダミー発光が行われることを特徴とする請求項６に記載の太陽電池のＩ−Ｖ特性取得方法。
【請求項８】
前記フラッシュ光源またはストロボ光源の輝度が上昇する時間帯でのみ測定を行うことを特徴とする請求項６または７に記載の太陽電池のＩ−Ｖ特性取得方法。
【請求項９】
短絡電流または開放電圧の測定をディジタイザを用いて行うことを特徴とする請求項６から８のいずれかに記載の太陽電池のＩ−Ｖ特性取得方法。
【請求項１０】
短絡電流および開放電圧を、前記フラッシュ光源またはストロボ光源をそれぞれ複数回閃光させて複数回測定することを特徴とする請求項６から９のいずれかに記載の太陽電池のＩ−Ｖ特性取得方法。
【請求項１１】
照度のモニタを、太陽電池を用いて行うことを特徴とする請求項１から１０のいずれかに記載の太陽電池のＩ−Ｖ特性取得方法。
【発明の詳細な説明】
【０００１】
【発明の属する技術分野】
本発明は、太陽電池のＩ−Ｖ特性取得方法に関し、特に屋外の設置現場において直流電源を使用することなく得ることのできる太陽電池のＩ−Ｖ特性取得方法に関するものである。
【０００２】
【従来の技術】
太陽光発電システムが大量に普及したことにより、長時間環境に暴露された太陽電池モジュールの故障・劣化診断の必要性が高くなってきている。従来、屋外に設置した太陽電池モジュールのＩ−Ｖ特性を測定する場合、測定対象モジュールを取り外し、屋内において測定を行うことが一般的であった。
このような従来の測定方法は以下の手順を経て行われる。
▲１▼モジュールを設置現場から取り外す。
▲２▼モジュールを測定現場まで運ぶ。
▲３▼モジュールを測定する。
▲４▼モジュールを設置現場まで運ぶ。
▲５▼モジュールを設置現場に取り付ける。
而して、▲３▼のモジュールの測定は、リード線の抵抗や電流計の内部抵抗の影響を排除するために、負荷として可変直流電圧源を接続して行う（例えば、非特許文献１参照）。
【０００３】
【非特許文献１】
桑野幸徳著「太陽電池とその応用」パワー社、１９８５年６月２５日、ｐｐ．４３−４４
【０００４】
【発明が解決しようとする課題】
上述したように、従来の測定方法は、重量が大きく大面積の太陽電池モジュールの取り外し、運搬、組み立ての作業が必要となるため、多くの工数がかかり、大規模で長時間の作業を要することになる。そこで、モジュールを取り外すことなく設置現場において測定を行うことが検討されているが、この測定方法によると、一般的には足場の悪いモジュール設置現場に重量の大きい可変直流電圧源を運搬し設置しなければならない。
本発明の課題は、上述した従来技術の問題点を解決することであって、その目的は、太陽電池モジュールを取り外すことなく、かつ、直流電源を用いることなく、太陽電池のＩ−Ｖ特性を取得できるようにすることである。
【０００５】
【課題を解決するための手段】
上記の目的を達成するため、本発明によれば、異なる複数の照度とそれぞれの照度での短絡電流を測定すると共に異なる複数の照度とそれぞれの照度での開放電圧を測定し、その測定結果に基づいて基準照度と基準照度より低い照度である第１〜第ｎ（ｎは正の整数）照度における短絡電流と開放電圧との測定値を得、Ｉ−Ｖ特性図上において、基準照度での短絡電流と開放電圧とをプロットし、第ｋ（ｋ＝１、２、・・・、ｎ）照度の開放電圧を電圧値、基準照度での短絡電流から第ｋ照度での短絡電流を減算した値を電流値とする点をプロットし、各プロット点を連結することにより基準照度のＩ−Ｖ特性を得ることを特徴とする太陽電池のＩ−Ｖ特性取得方法、が提供される。
【０００６】
そして、好ましくは、短絡電流または開放電圧の測定値が、現実の測定値または現実の測定値の補間値である。また、好ましくは、被測定太陽電池上での照度が変化する光源の光を照射しつつ、照度をモニタすると共に短絡電流または開放電圧を測定する。また、一層好ましくは、前記光源がフラッシュ光源である。そして、前記フラッシュ光源の輝度が上昇する時間帯でのみ測定を行う。
また、好ましくは、短絡電流または開放電圧の測定をディジタイザを用いて行う。さらに、好ましくは、照度のモニタを、被測定太陽電池と同種の太陽電池を用いて行う。
【０００７】
【発明の実施の形態】
図１は、本発明の、複数の照度における短絡電流Ｉｓｃと開放電圧Ｖｏｃの組からＩ−Ｖ特性を合成する方法を説明する概念図である。周知のように、特殊な例外を除き、太陽電池の異なった照度に対するＩ−Ｖ特性は、照度差に対応するＩｓｃ分だけ電流軸方向に平行移動すれば、近似的に互いに重なる。この特徴を利用すれば、ある基準照度（例えば、１ｓｕｎ）とその照度より低い照度（Ａ、Ｂ、Ｃ・・・）におけるＩｓｃとＶｏｃの組から、基準照度におけるＩ−Ｖ特性を次のようにして合成することができる。まず、Ｉ−Ｖ特性図上において、基準照度について、（０，Ｉｓｃ）、（Ｖｏｃ，０）をプロットする。次に、照度Ａについて、基準照度での短絡電流との差電流Ｉｓｃ−Ｉｓｃ（Ａ）を算出し、（Ｖｏｃ（Ａ），Ｉｓｃ−Ｉｓｃ（Ａ））（Ａ′点）をプロットする。同様に、照度Ｂ、Ｃに関して、（Ｖｏｃ（Ｂ），Ｉｓｃ−Ｉｓｃ（Ｂ））（Ｂ′点）、（Ｖｏｃ（Ｃ），Ｉｓｃ−Ｉｓｃ（Ｃ））（Ｃ′点）をプロットする。同様にして、基準照度より低い照度に関して多数の点をプロットし、各プロット点を繋いで滑らかな曲線が得られるようにする。このようにして作成された曲線が、合成された基準照度におけるＩ−Ｖ特性である。
【０００８】
本発明によるＩ−Ｖ特性合成に必要な手順は、次の通りである。
▲１▼  フラッシュ光源のような被測定太陽電池上での照度が変化する光源の光を照射し、照度とＩｓｃ、照度とＶｏｃの関係を別々に測定する。その際に、光モニタを用いてＩｓｃ、Ｖｏｃの測定と同期させて照度の測定を行う。
▲２▼  Ｉ−Ｖ特性を得ようとする照度（基準照度）とそれ以下の照度（分割照度）でのＩｓｃ、Ｖｏｃの組を求める。その際に、求める照度でのＩｓｃ、Ｖｏｃの測定値が存在していない場合には、補間を行うことによって求める。補間が一次補間で済むように▲１▼で得られる測定値が十分に多い（照度間隔が十分に細かい）ことが望ましい。
▲３▼  Ｉ−Ｖ特性図上において、基準照度の（０，Ｉｓｃ）、（Ｖｏｃ，０）をプロットすると共に、各分割照度について、その照度でのＶｏｃ点を、基準照度の短絡電流からその照度での短絡電流を減じた分だけ持ち上げた点をプロットする（図１参照）。
▲４▼  得られた各プロットを繋いでいくことにより、任意の基準照度に対するＩ−Ｖ特性を合成する。
【０００９】
図２は、照度とＩｓｃとの関係、照度とＶｏｃとの関係を測定する本発明の一実施の形態の測定システムを示す概略構成図である。フラッシュ光源１から放射された光２を試料３上に照射すると共に照度を検出する光モニタ４上にも照射する。そして、ディジタイザ５を用いて照度とその照度での短絡電流Ｉｓｃを測定する。また、ディジタイザ５を用いて照度とその照度での開放電圧Ｖｏｃを測定する。それらの測定は例えば１０μｓの時間間隔で行い、１回の閃光に対して複数回の測定を行う。この測定において、特にＶｏｃの測定においては、照度の下降領域では、照度と試料の出力とが大きく分離する。このため、少なくともＶｏｃの測定においては、照度の上昇領域のみで測定を行うことが望ましい。
【００１０】
滑らかにＩ−Ｖ特性を合成できるようにするためには多くの照度（分割照度）での測定値が必要となる。１回のフラッシュ光源の閃光により十分な数の測定データを得るためには測定の間隔を短くするかあるいは照度上昇が緩やかに行われるようにすればよい。しかし、いずれの方法も技術的に困難である場合には、ＩｓｃとＶｏｃとの測定をそれぞれ複数回フラッシュ光源を閃光させて行い、十分な数の測定データを得るようにすればよい。
本発明によるＩ−Ｖ特性の取得方法は、別々の負荷条件下で測定したＩｓｃとＶｏｃとの光応答特性を、照度を媒介にして関連付ける方法である。この処理を精度よく行うためには、両者の測定に用いるフラッシュ光の波形が揃っていることが望ましい。ところが、この波形はフラッシュ光源の電源の充電時間により変化するため、波形安定化のためには次のようなプロセスをコンピュータ制御により行うことが望ましい。
１０秒充電（待機）→放電（ダミー発光）
１０秒充電（待機）→放電（測定用発光）
この処理により、フラッシュ光波形のピーク値のバラツキを数％以内の範囲に収め、波形を安定化させることができる。
なお、特に開放電圧を測定する際には、直前の光照射により太陽電池内に蓄積電荷が残っている可能性がある。したがって、特に開放電圧を測定する際には、測定前に電極間を一旦短絡して蓄積電荷を放電しておくことが望ましい。
本実施の形態において、光モニタ４には太陽電池が用いられる。特に、照度測定とＩｓｃ（またはＶｏｃ）測定との分光感度ずれやタイミングずれを少なくするには、光モニタ４に試料と同種の太陽電池を用いることが好ましい。
本実施の形態は、フラッシュ光源を用いるものであったが、これに代えストロボ光源を用いてもよい。
【００１１】
図３は、照度とＩｓｃとの関係、照度とＶｏｃとの関係を測定する本発明の他の実施の形態の測定システムを示す概略構成図である。定常光源６から放射された光を、交換可能な減光板７を通して試料３上に照射すると共に照度を検出する光モニタ４上にも照射する。減光板７は、複数枚用意されており、それぞれの減光率は異なっている。そして、減光板７を交換しつつ低速電圧測定器８を用いて照度とその照度での短絡電流Ｉｓｃを測定する。また、減光板７を交換しつつ低速電圧測定器８を用いて照度とその照度での開放電圧Ｖｏｃを測定する。
定常光源６の出力を一定として減光板のみにより照度を調整するようにしてもよいが、定常光源６の光出力を数段階に切り換えることができるようにし、その切り換えと減光板の交換の組み合わせにより照度調整を行うようにしてもよい。また、定常光源と減光板との組み合わせに代え、ソーラシミュレータを用いてもよい。
なお、図２、図３に示す測定システムにおいて、短絡電流は、試料の電極間に低抵抗（例えば、０．１Ω）を接続し、電極間の電圧を測定することにより検出し、開放電圧は、試料の電極間を開放し、電極間の電圧を測定することにより検出する。
【００１２】
上記のようにして被測定太陽電池の任意の照度におけるＩ−Ｖ特性を合成することができるが、このことが可能であるのは、Ｉｓｃと照度とが線形関係にあるという前提条件が満たされているからである。この前提条件が満たされていることは以下のように示される。
太陽電池のＩ−Ｖ特性は、以下の基本方程式で与えられる。
Ｉ＝Ｉｐｈ−Ｉｏ［ｅｘｐ｛ｑ（Ｖ＋ＲｓＩ）／ｎｋＴ｝−１］−（Ｖ＋ＲｓＩ）／Ｒｓｈ            …（１）
但し、ＩとＶは電流と電圧、Ｉｐｈは光電流、Ｉｏは逆方向飽和電流、ＲｓとＲｓｈは直列抵抗と並列抵抗、ｎはダイオード性能指数である。（１）式において、Ｉ＝Ｉｓｃ、Ｖ＝０とおくと、（２）式に示すようにＩｓｃが求まる。
Ｉｓｃ＝Ｉｐｈ−Ｉｏ［ｅｘｐ｛ｑ（ＲｓＩ）／ｎｋＴ｝−１］−（ＲｓＩ）／Ｒｓｈ                    …（２）
通常、結晶系太陽電池においては、（２）式において、第１項に対し第２項、第３項は無視できるほど小さく、Ｉｓｃ＝Ｉｐｈと近似できる。Ｉｐｈは照度に比例するから、Ｉｓｃも照度に比例する。実測データにおいても、Ｉｓｃ対照度の線形性は非常によい（図６参照）。
【００１３】
【実施例】
小型の単結晶シリコン系太陽電池モジュール（Ｉｓｃ＝２Ａ、Ｖｏｃ＝２０Ｖ）について、図２に示す測定システムにより測定を行った。光源はＸｅフラッシュランプ、測定器は１６ビットディジタイザである。１０秒充電し、ダミー発光の後、１０秒充電して測定用発光を行い、１０μｓの時間間隔でＩｓｃの光応答を測定した。同様にしてＶｏｃの光応答を測定した。各測定の前には、電極間を一旦短絡してモジュールの蓄積電荷を放電した。測定結果を図４と図５に示す。１０μｓの時間間隔では、ＩｓｃとＶｏｃの光応答測定をそれぞれ１回ずつ行うのみでは、得られる測定データの不足が見込まれるので、それぞれ５回ずつ測定した。これにより、１０μｓ／５（＝２μｓ）の時間間隔で測定を行った場合に近い結果が得られるものと期待される。それらのトータルの測定結果を図６に示す。但し、図６では各測定値の最大値が１に正規化されている。
この測定結果に基づいて合成した５種の照度におけるＩ−Ｖ特性を図７に示す。それぞれの照度において滑らかなＩ−Ｖ特性曲線が得られている。この合成されたＩ−Ｖ特性から得られた各種パラメータを表１に示す。
【００１４】
【表１】
2004281480.tif 000003
【００１５】
表１に示す各パラメータは、Ｖｏｃがやや高めにでた以外は、いずれも照度変化に対して妥当な値を示しており、本発明による方法が十分に実用性のあるものであることを示している。
【００１６】
以上好ましい実施の形態、実施例について説明したが、本発明はこれらに限定されるものではなく、本発明の要旨を逸脱しない範囲内において適宜の変更が可能なものである。本発明は、屋外に設置された太陽電池の劣化評価、故障診断に有利に適用されるが、それに限定されるものではなく工場での簡易な出荷検査等にも適用できるものである。
【００１７】
【発明の効果】
以上説明したように、本発明は、フラッシュ光のような照度の変化する光源を用いて各照度におけるＩｓｃとＶｏｃとをそれぞれ別個に測定し、ＩｓｃとＶｏｃとの光応答特性を、照度を媒体として関連付けてＩ−Ｖ特性を合成するものであるので、屋外に設置された太陽電池を取り外したり運搬したりすることなく、かつ、重量の大きい直流電源を使用することなく、簡易な方法で太陽電池のＩ−Ｖ特性を、したがって太陽電池の各種のパラメータを取得することができる。
【図面の簡単な説明】
【図１】本発明によるＩ−Ｖ特性の合成方法を説明する概念図。
【図２】本発明の一実施の形態の測定システムを示す概略図。
【図３】本発明の他の実施の形態の測定システムを示す概略図。
【図４】本発明の一実施例のＩｓｃの測定結果を示す特性曲線図。
【図５】本発明の一実施例のＶｏｃの測定結果を示す特性曲線図。
【図６】本発明の一実施例のＩｓｃとＶｏｃの測定結果を示す特性曲線図。
【図７】本発明の一実施例により得られたＩ−Ｖ特性図。
【符号の説明】
１  フラッシュ光源
２  光
３  試料
４  光モニタ
５  ディジタイザ
６  定常光源
７  減光板
８  低速電圧測定器
【図１】
2004281480.tif 000004
【図２】
2004281480.tif 000005
【図３】
2004281480.tif 000006
【図４】
2004281480.tif 000007
【図５】
2004281480.tif 000008
【図６】
2004281480.tif 000009
【図７】
2004281480.tif 000010